【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
撮像装置に対して着脱可能なレンズ装置であって、
光量を変化させる絞り機構と、
前記絞り機構を駆動する駆動手段と、
前記駆動手段に対する通電を制御する制御手段とを有し、
前記駆動手段に対して、前記絞り機構の初期の位置決めを行うための初期通電と、該絞り機構を駆動するための駆動用通電と、該絞り機構の位置の変動を低減するための直流通電とを連続的に行うことにより、前記絞り機構の駆動が可能であり、
前記制御手段は、前記撮像装置で行われる連写撮影の連写速度情報に応じて前記直流通電の通電時間を変更することを特徴とするレンズ装置。
【請求項２】
前記駆動手段が前記絞り機構の第１駆動における前記直流通電を行っている間に、該第１駆動に続く第２駆動の指示を受けた場合、
前記制御手段は、前記第２駆動における前記初期通電を行うことなく前記第２駆動における前記駆動用通電を行うように前記駆動手段に対する通電を制御することを特徴とする請求項１に記載のレンズ装置。
【請求項３】
前記駆動手段に対して、前記直流通電に続いて前記直流通電よりも低い直流電圧で保持通電を行うことが可能であり、
前記制御手段は、前記駆動手段が前記第１駆動における前記直流通電を行っている間に、前記第２駆動の指示を受けた場合、前記第１駆動における前記直流通電に続いて前記保持通電を行わせないことによって、前記初期通電を行うことなく前記第２駆動における前記駆動用通電を行うように前記駆動手段に対する通電を制御することを特徴とする請求項２に記載のレンズ装置。
【請求項４】
前記制御手段は、前記駆動手段が前記絞り機構の前記第１駆動における前記直流通電を行っている間に、該絞り機構の前記第２駆動の指示を受けない場合、前記直流通電に続いて前記保持通電を行うように該駆動手段に対する通電を制御することを特徴とする請求項３に記載のレンズ装置。
【請求項５】
前記撮像装置で単写撮影が行われる場合、前記制御手段は、
前記第１駆動における前記直流通電の後、前記保持通電および第２駆動における前記初期通電を介してから、前記第２駆動における前記駆動用通電を行うように前記駆動手段に対する通電を制御することを特徴とする請求項３または４に記載のレンズ装置。
【請求項６】
前記駆動用通電において、周期的に変動する駆動電圧を通電することを特徴とする請求項１乃至５のいずれか１項に記載のレンズ装置。
【請求項７】
前記制御手段は、
前記撮像装置から前記連写速度情報を通信により取得し、
取得した前記連写速度情報に基づいて決定した前記直流通電の延長時間を示す延長時間情報に応じて、前記直流通電の前記通電時間を変更することを特徴とする請求項６に記載のレンズ装置。
【請求項８】
前記制御手段は、
前記撮像装置から、前記連写速度情報に応じた前記直流通電の延長時間情報を通信により取得し、
前記延長時間情報に応じて前記直流通電の通電時間を変更することを特徴とする請求項６に記載のレンズ装置。
【請求項９】
前記制御手段は、前記延長時間情報を、前記第１駆動と前記第２駆動の駆動間隔から前記第１駆動における前記駆動用通電の時間を減算することにより算出することを特徴とする請求項７または８に記載のレンズ装置。
【請求項１０】
請求項１乃至８のいずれか１項に記載のレンズ装置が着脱可能な撮像装置であって、
前記レンズ装置の撮影光学系からの光の光量を検出して測光情報を出力する測光手段を有し、
前記測光情報に基づいて連写速度情報を決定する決定手段と、
前記連写速度情報を前記レンズ装置に送信する送信手段とを有することを特徴とする撮像装置。
【請求項１１】
撮影光学系と、
該撮影光学系を介して形成された光学像を光電変換して画像データを出力する撮像素子と、
光量を変化させる絞り機構と、
前記絞り機構を駆動する駆動手段と、
前記駆動手段に対する通電を制御する制御手段とを有し、
前記駆動手段に対して、前記絞り機構の初期の位置決めを行うための初期通電と、該絞り機構を駆動するための駆動用通電と、該絞り機構の位置の変動を低減するための直流通電とを連続的に行うことにより、前記絞り機構の駆動が可能であり、
前記制御手段は、連写撮影の連写速度情報に応じて前記直流通電の通電時間を変更することを特徴とする撮像装置。
【請求項１２】
前記撮影光学系からの光の光量を検出して測光情報を出力する測光手段を更に有し、
前記制御手段は、
前記測光情報に基づいて前記連写速度情報を決定することを特徴とする請求項１０または１１に記載の撮像装置。
【手続補正２】
【補正対象書類名】明細書
【補正対象項目名】発明の名称
【補正方法】変更
【補正の内容】
【発明の名称】レンズ装置、および、撮像装置
【手続補正３】
【補正対象書類名】明細書
【補正対象項目名】０００６
【補正方法】変更
【補正の内容】
【０００６】
そこで本発明は、連写速度を向上させるとともに消費電力の増加を抑制することが可能なレンズ装置、および、撮像装置を提供することを目的とする。
【手続補正４】
【補正対象書類名】明細書
【補正対象項目名】０００７
【補正方法】変更
【補正の内容】
【０００７】
本発明の一側面としてのレンズ装置は、撮像装置に対して着脱可能なレンズ装置であって、光量を変化させる絞り機構と、前記絞り機構を駆動する駆動手段と、前記駆動手段に対する通電を制御する制御手段とを有し、前記駆動手段に対して、前記絞り機構の初期の位置決めを行うための初期通電と、該絞り機構を駆動するための駆動用通電と、該絞り機構の位置の変動を低減するための直流通電と、を連続的に行うことにより、前記絞り機構の駆動が可能であり、前記制御手段は、前記撮像装置で行われる連写撮影の連写速度情報に応じて前記直流通電の通電時間を変更する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の他の側面としての撮像装置は、前記レンズ装置が着脱可能な撮像装置であって、前記レンズ装置の撮影光学系からの光の光量を検出して測光情報を出力する測光手段を有し、前記測光情報に基づいて連写速度情報を決定する決定手段と、前記連写速度情報を前記レンズ装置に送信する送信手段とを有する。
【手続補正７】
【補正対象書類名】明細書
【補正対象項目名】００１１
【補正方法】変更
【補正の内容】
【００１１】
本発明によれば、連写速度を向上させるとともに消費電力の増加を抑制することが可能なレンズ装置、および、撮像装置を提供することができる。
【手続補正８】
【補正対象書類名】明細書
【補正対象項目名】００１６
【補正方法】変更
【補正の内容】
【００１６】
カメラボディ３には、カメラＣＰＵ３０、制御系電源３１、駆動系電源３２、通信ユニット３３、レンズ装着検出部３４、測距ユニット３５、撮影モード選択部材３６、および、測光ユニット３７が設けられている。カメラＣＰＵ３０（制御手段、決定手段、送信手段）は、カメラボディ３の全体の制御を司る。カメラＣＰＵ３０は、ＲＡＭ、ＲＯＭ、ＥＥＰＲＯＭなどの記憶手段を内蔵している。制御系電源３１は、測距ユニット３５や測光ユニット３７などの電力消費量が比較的少なく安定した出力電圧を必要とする制御系回路に電力を供給する。駆動系電源３２は、制御系電源３１の電圧または電力を検出し、交換レンズ２や不図示のシャッタ制御部などの電力消費量が比較的多い駆動系回路に電力を供給する。通信ユニット３３は、後述のレンズＣＰＵ２０と通信を行うための複数の通信端子を有し、フォーカスレンズ２１や絞り機構２３への駆動指示情報、測光情報に基づくカメラの連写速度情報、および、レンズ情報（レンズＩＤ）などを送受信する。レンズ装着検出部３４は、交換レンズ２がカメラボディ３に装着されたことを検出する。
【手続補正９】
【補正対象書類名】明細書
【補正対象項目名】００２７
【補正方法】変更
【補正の内容】
【００２７】
ステップＳ１１０において、レンズＣＰＵ２０は、撮影モード選択部材３６により設定された撮影モード（撮影モード情報）を、カメラＣＰＵ３０から通信により取得する。続いてステップＳ１２０において、レンズＣＰＵ２０は、ステップＳ１１０にて取得した撮影モードが連写モード（連続撮影モード）または単写モードのいずれであるかを判定する。撮影モードが連写モードである場合、ステップＳ１３０に移行する。一方、撮影モードが単写モードである場合、ステップＳ１６０に移行する。
【手続補正１０】
【補正対象書類名】明細書
【補正対象項目名】００４５
【補正方法】変更
【補正の内容】
【００４５】
このように本実施例において、レンズＣＰＵ２０は、カメラボディ３から、直流通電の延長時間情報を通信により取得し、取得した延長時間情報に応じて直流通電の通電時間を変更する。このため本実施例によれば、カメラボディ３（カメラＣＰＵ３０）と交換レンズ２（レンズＣＰＵ２０）との間の通信量を削減し、交換レンズ２（レンズＣＰＵ２０）における処理負荷を低減することができる。